(57)【特許請求の範囲】
【請求項１】
地面に設置された浅箱内の砂入れ部の上部開口を開閉自在な遮蔽板により覆った遊戯砂場であって、前記した浅箱上にこの浅箱の外側位置に埋設した短支柱によって地面に固定されている支持部材が設けられていて、遮蔽板はこの支持部材に支持されて砂入れ部の上部開口を開閉自在としたものであることを特徴とする遊戯砂場。
【請求項２】
地面に設置された浅箱が角形であり、この浅箱の外側位置に埋設した短支柱によって地面に固定されて浅箱上に設けられる支持部材は浅箱の前後の上側縁からその延長線上にわたり延設されるガイド溝付のガイド部材であり、この支持部材に支持されて砂入れ部の上部開口を開閉自在とする遮蔽板は、前記したガイド部材のガイド溝に係合させてスライドするローラを具備していてこのローラをガイド部材にスライド自在に支持させて砂入れ部の上部開口を開閉自在としている請求項１に記載の遊戯砂場。
【請求項３】
地面に設置された浅箱が円形でその内部が仕切により半円形の砂入れ部と半円形のデッキ部で開口が埋められた部分に２分されたものであり、この浅箱の外側位置に埋設した短支柱によって地面に固定されて浅箱上に設けられる支持部材は環状のガイド部材であり、この支持部材に支持されて砂入れ部の上部開口を開閉自在とする遮蔽板は、一半部が前記した砂入れ部の上部開口と略同形の切欠開口、他半部が半円形の遮蔽部とされた円形のもので、その中心軸をもって回転スライド自在に被装されて砂入れ部の上部開口を開閉自在としている請求項１に記載の遊戯砂場。
【請求項４】
地面に設置された浅箱が円形でその内部の一半部が仕切により半円形の砂入れ部に形成されたものであり、この浅箱の外側位置に埋設した短支柱によって地面に固定されて浅箱上に設けられる支持部材は一半部に砂入れ部の上部開口に対応する半円形の切欠開口が形成された円形のカバーであり、この支持部材に支持されて砂入れ部の上部開口を開閉自在とする遮蔽板は、半円形でその直線部を前記した円形のカバーの切欠開口の直線部にヒンジ部を介して取付けられて砂入れ部の上部開口を開閉自在としてある請求項１に記載の遊戯砂場。
【発明の詳細な説明】
【０００１】
【発明の属する技術分野】
本発明は公園等に設置される遊戯砂場に関するものである。
【０００２】
【従来の技術】
従来、公園等に設置される遊戯砂場は周縁をブロック等で仕切って砂入れ部としただけのものを普通としているため、砂入れ部上面は開放されたままであった。このため、放し飼いのペットや散歩時に砂入れ部にペットが進入して糞をすることがしばしばあり、ペットの糞の中に含まれる寄生虫や病原菌により砂場の砂が汚染されて砂遊びをした子供達に様々な感染症を引き起こす恐れがあるという問題があった。
【０００３】
【発明が解決しようとする課題】
本発明が解決しようとするところは前記のような問題を解決し、ペットが砂入れ場に進入することをなくしてペットの糞により砂が寄生虫や細菌に汚染されることのない遊戯砂場を提供することにある。
【０００４】
【課題を解決するための手段】
前述の目的を達成するための手段である本発明の遊戯砂場は、地面に設置された浅箱内の砂入れ部の上部開口を開閉自在な遮蔽板により覆った遊戯砂場であって、前記した浅箱上にこの浅箱の外側位置に埋設した短支柱によって地面に固定されている支持部材が設けられていて、遮蔽板はこの支持部材に支持されて砂入れ部の上部開口を開閉自在としたものであることを特徴とするものである。
【０００５】
【発明の実施の形態】
次に、本発明の好ましい実施の形態を図面を参考にして詳細に説明する。
図１、図２は本発明の第１の好ましい実施の形態を示すもので、１は上部開口１ａを角形とする砂入れ部であり、この砂入れ部１は角形の浅箱２を地面に設置して形成したものである。そして、この浅箱上には遮蔽板を開閉自在に支持する支持部材としてのガイド部材３、３が設けられている。ガイド部材３、３は浅箱２の前後上側縁からその延長線上にわたり左右に延設されて端部と中間部とを短支柱５によって地面に埋設固定してある管材よりなり、各ガイド部材３の延長部の長さは砂入れ部１の上部開口１ａを覆う各遮蔽板４の左右幅と略同じ幅としている。遮蔽板４はガイド部材３、３に前後端がガイドされて砂入れ部１の上部開口１ａを２枚で覆った状態と、上部開口１ａが開放されるようにガイド部材３、３の延長部間にスライドされた状態をとることができるもので、各遮蔽板４の前後縁下面にはガイド部材３のガイド溝７に係合するローラ６が設けられていてこのローラ６が遮蔽板４のスライドをガイドする。なお、遮蔽板４は使用中に自由なスライドが阻止されるように図示しないロック機構によりロックされていて遊戯者の安全を確保できるようにしておくことが好ましい。
【０００６】
このように構成されたものは、所定の地面に浅箱２を設置して砂入れ部１に砂を入れておき、常時は砂入れ部１の上部開口１ａをガイド部材３に沿ってスライドできる遮蔽板４、４により遮蔽しておけば、夜間や早朝等に放し飼いのペットや散歩中のペットが砂入れ部１に進入して糞をすることを確実に防止し、砂がペットの寄生虫や病原菌で汚染されることを的確に防止することができる。そして、幼児や子供を砂入れ部１で遊ばせたい場合には、各遮蔽板４を左右方向に引けば、遮蔽板４はガイド部材３のガイド溝７にガイドされるローラ６により滑らかに開き、砂入れ部１の上部開口１ａは開放されることとなるので、上面が開放された砂入れ部１で幼児や子供達は砂遊びをすることができる。そして、遊び終わったら、遮蔽板４を前記とは逆にスライドさせて砂入れ部１の上部開口１ａを遮蔽すれば、砂入れ部１にペット等が進入して糞をすることを防止できるので、砂遊びの幼児や子供達が寄生虫等によって病気になることは的確に防止される。
【０００７】
次に、図３、図４は本発明の第２の好ましい実施の形態を示すもので、１１は半円形の砂入れ部である。この砂入れ部１１は地面に設置された円形の浅箱１２の内部を中間の仕切１２ａによって２分してその上面開口のうち一半部を木製のデッキ部１２ｃで塞ぐことにより浅箱１２の他半部に形成されている。そして、円形の浅箱１２の上部には一半部が砂入れ部１１の上部開口１１ａと略同形の切欠開口１４ａとされ他半部は半円形の遮蔽部１４ｂとされている円形の遮蔽板１４を被装してその中心軸１４ｃをもって回転スライドできるものとし、この遮蔽板１４の遮蔽部１４ｂが砂入れ部１１の上部開口１１ａを塞いだ状態をとる不使用時には切欠開口１４ａがデッキ部１２ｃの上面に位置してその上で遊ぶ子供たちが浅箱１２内に落ちることを防止している。なお、１３は円形の遮蔽板１４を回転自在にガイドする管材よりなる環状のガイド部材であり、該ガイド部材１３は浅箱１２の外周に短支柱１２ｂをもって支持されて遮蔽板１４を開閉自在に支持する支持部材としての働きを有している。なお、１８は円形の遮蔽板１４の外周縁所要箇所に取り付けられるハンドルであり、該ハンドル１８を介し遮蔽板１４は中心軸１４ｃを中心として回転される。
【０００８】
このように構成されたものは、所定の地面に浅箱１２を設置して砂入れ部１１に砂を入れ、砂入れ部１１の上部開口１１ａを遮蔽板１４で覆っておく。そして、使用する際には、デッキ部１２ｃに位置している円形の遮蔽板１４に設けられている半円形の切欠開口１４ａが砂入れ部１１の上部開口１１ａと一致するまで回動させ、切欠開口１４ａが砂入れ部１１の上部開口１１ａと一致したら回動を止めてロックすれば、砂入れ部１１の上部開口１１ａは開放されて幼児や子供は砂入れ部１１で砂遊び等をすることができ、遊び終わったら円形の遮蔽板１４を回動させてその遮蔽部１４ｂにより砂入れ部１１の上部開口１１ａを遮蔽すればよい。
【０００９】
次に、図５、図６は本発明の第３の好ましい実施の形態を示すもので、２１は半円形の砂入れ部である。この砂入れ部２１は内部が中間の仕切２２ａによって２分された円形の浅箱２２を地面に設置し、この浅箱２２の上面開口には一半部に半円形の切欠開口が形成されたカバー２５をかぶせて形成したもので、前記した半円形の切欠開口がこの砂入れ部２１の上部開口２１ａとされていてこのカバー２５が遮蔽板１４を開閉自在に支持する支持部材としての働きを有していてこの砂入れ部２１の上部開口２１ａはその直線部にヒンジ部２９を配置した枢動自在な半円形の遮蔽板２４で覆って開閉自在としてある。なお、図５、図６において２８は遮蔽板２４の前後２箇所に配設したハンドル、２２ｂはカバー２５をその周縁において支持する短支柱である。
【００１０】
このように構成されたものは、所定の地面に浅箱２２を設置して砂入れ部２１に砂を入れ、砂入れ部２１の上部開口２１ａを半円形の遮蔽板２４で覆っておく。そして、使用する際には、遮蔽板２４のハンドル２８を把持して遮蔽板２４を１８０度枢動させてカバー２５に添うまで伏倒させれば、カバー２５の切欠開口に相当する上部開口２１ａは露呈されて砂入れ部２１が開放されるので、幼児や子供は砂入れ部２１で砂遊び等をすることができ、遊び終わったら、遮蔽板２４を逆方向に１８０度伏倒させて砂入れ部２１の上部開口２１ａを閉じればよい。
【００１１】
【発明の効果】
本発明は前記説明によって明らかなように、地面に設置された浅箱内の砂入れ部の上部開口を開閉自在な遮蔽板により覆った遊戯砂場であって、前記した浅箱上にこの浅箱の外側位置に埋設した短支柱によって地面に固定されている支持部材が設けられていて、遮蔽板はこの支持部材に支持されて砂入れ部の上部開口を開閉自在としたので、ペットが砂場で糞をすることを確実に防止でき、幼児や子供がペットの寄生虫や細菌による感染症を起こすことがない。また、遮蔽板をガイド部材の案内下にスライドするようにしたものは幼児や子供でも安全に開閉できることとなるし、蓋を枢動式としたものは砂や塵埃により作動不良となることがなくなるなどの利点がある。
従って、本発明は従来の問題点を解決した遊戯砂場として極めて有効なものである。
【図面の簡単な説明】
【図１】  本発明の第１の好ましい実施の形態を示す一部切欠斜視図である。
【図２】  本発明の第１の好ましい実施の形態を示す要部の断面図である。
【図３】  本発明の第２の好ましい実施の形態の他の例を示す一部切欠斜視図である。
【図４】  本発明の第２の好ましい実施の形態の他の例の要部を示す一部切欠平面図である。
【図５】  本発明の第３の別の好ましい実施の形態を示す一部切欠斜視図である。
【図６】  本発明の第３の好ましい実施の形態を示す一部切欠平面図である。
【符号の説明】
１  砂入れ部
1a  上部開口
２  浅箱
３  ガイド部材
４  遮蔽板
５  短支柱
11a   上部開口
12  浅箱
12a 仕切
12b 短支柱
12c デッキ部
13  ガイド部材
14  遮蔽板
14a 切欠開口
14b 遮蔽部
14  中心軸
22  浅箱
21a 上部開口
22b 短支柱
23  ガイド部材
24  遮蔽板
25  カバー
29  ヒンジ部
【図１】
0003789982.tif 000002
【図２】
0003789982.tif 000003
【図３】
0003789982.tif 000004
【図４】
0003789982.tif 000005
【図５】
0003789982.tif 000006
【図６】
0003789982.tif 000007